(57)【要約】      （修正有）【課題】重みのある容器を収納しても袋本体と取っ手とが分離しにくく、複数の容器を収納しても持ち運びがしやすい収納袋を提供する。【解決手段】収納袋１は、上下に溶着部２５及び１２と、幅方向の両側面に谷折り部１１と、上部略中央に谷折り部の折り曲げ線を含むように切り取られた略Ｕ字形の切り欠き部２１を備える。【選択図】図１
0003234158.tif 000002
【実用新案登録請求の範囲】
【請求項１】
上下に溶着部と、
幅方向の両側面に谷折り部と、
上部略中央に前記谷折り部の折り曲げ線を含むように切り取られた略Ｕ字形の切り欠き部と、
を備える収納袋。
【請求項２】
請求項１に記載の収納袋において、
幅方向の両側面に前記谷折り部が設けられた袋本体と、
前記袋本体と一体に形成され、略Ｕ字形の前記切り欠き部が設けられた取っ手と、
を備え、
前記袋本体の幅方向の長さをＬ１、前記取っ手の頂部から前記切り欠き部の底部までの長さをＬ２としたときに、Ｌ２／Ｌ１の値が０．６５〜１．５４までの範囲に含まれる、
収納袋。
【請求項３】
請求項２の収納袋において、
前記Ｌ２／Ｌ１の値が１〜１．５４までの範囲に含まれ、
前記谷折り部の折り込み長さをＬ３としたときに、（Ｌ３×２）／Ｌ１の値が０．９〜０．９６までの範囲に含まれる、
収納袋。
【請求項４】
請求項２の収納袋において、
前記Ｌ２／Ｌ１の値が０．８９〜１．２６までの範囲に含まれ、
前記谷折り部の折り込み長さをＬ３としたときに、（Ｌ３×２）／Ｌ１の値が０．５〜０．９５までの範囲に含まれる、
収納袋。
【請求項５】
請求項２の収納袋において、
前記Ｌ２／Ｌ１の値が０．７６〜１．３８までの範囲に含まれ、
前記谷折り部の折り込み長さをＬ３としたときに、（Ｌ３×２）／Ｌ１の値が０．９〜０．９６までの範囲に含まれる、
収納袋。
【請求項６】
請求項２の収納袋において、
前記Ｌ２／Ｌ１の値が０．６５〜１．０５までの範囲に含まれ、
前記谷折り部の折り込み長さをＬ３としたときに、（Ｌ３×２）／Ｌ１の値が０．５〜０．９５までの範囲に含まれる、
収納袋。
【請求項７】
請求項１から６までのいずれかに記載の収納袋と、
前記収納袋に収納される容器と、
を含む容器付き収納袋。
【考案の詳細な説明】
【技術分野】
【０００１】
本考案は、収納袋及び容器付き収納袋に関する。
【背景技術】
【０００２】
従来、容器を持ち運ぶための収納袋として、袋本体に取っ手を付けたループハンドル袋が知られている。また、袋本体と取っ手とを一体化したレジ袋が知られている（例えば、特許文献１参照）。
【先行技術文献】
【特許文献】
【０００３】
【特許文献１】実用新案登録第３２２４２６３号公報
【考案の概要】
【考案が解決しようとする課題】
【０００４】
ループハンドル袋は、複数の容器を収納しても袋の内部で容器が動きにくいため、持ち運びがしやすいという利点がある。しかし、ループハンドル袋は、袋本体と取っ手とが別体であるために生産性が悪く、容器の重みによっては袋本体から取っ手が分離してしまうという課題がある。一方、レジ袋は、生産性に優れており、重みのある容器を収納しても袋本体から取っ手が分離しにくいという利点がある。しかし、レジ袋は、複数の容器を収納すると、袋の内部で容器が動いてしまい、持ち運びがしにくいという課題がある。
【０００５】
本考案の目的は、重みのある容器を収納しても袋本体と取っ手とが分離しにくく、複数の容器を収納しても持ち運びがしやすい収納袋及び容器付き収納袋を提供することにある。
【課題を解決するための手段】
【０００６】
本考案は、以下のような解決手段により、課題を解決する。なお、理解を容易にするために、本考案の実施形態に対応する符号を付して説明するが、これに限定されるものではない。また、符号を付して説明した構成は、適宜に改良してもよく、また、少なくとも一部を他の構成物に代替してもよい。
【０００７】
第１の考案は、上下に溶着部（２５、１２）と、幅方向の両側面に谷折り部（１１）と、上部略中央に前記谷折り部の折り曲げ線を含むように切り取られた略Ｕ字形の切り欠き部（２１）と、を備える収納袋に関する。
【０００８】
第２の考案は、第１の考案に係る収納袋であって、幅方向の両側面に前記谷折り部が設けられた袋本体（１０）と、前記袋本体と一体に形成され、略Ｕ字形の前記切り欠き部が設けられた取っ手（２０）と、を備え、前記袋本体の幅方向の長さをＬ１、前記取っ手の頂部（２３）から前記切り欠き部の底部（２４）までの長さをＬ２としたときに、Ｌ２／Ｌ１の値が０．６５〜１．５４までの範囲に含まれる収納袋に関する。
【０００９】
第３の考案は、第２の考案に係る収納袋であって、前記Ｌ２／Ｌ１の値が１〜１．５４までの範囲に含まれ、前記谷折り部の折り込み長さをＬ３としたときに、（Ｌ３×２）／Ｌ１の値が０．９〜０．９６までの範囲に含まれる。
【００１０】
第４の考案は、第２の考案に係る収納袋であって、前記Ｌ２／Ｌ１の値が０．８９〜１．２６までの範囲に含まれ、前記谷折り部の折り込み長さをＬ３としたときに、（Ｌ３×２）／Ｌ１の値が０．５〜０．９５までの範囲に含まれる。
【００１１】
第５の考案は、第２の考案に係る収納袋であって、前記Ｌ２／Ｌ１の値が０．７６〜１．３８までの範囲に含まれ、前記谷折り部の折り込み長さをＬ３としたときに、（Ｌ３×２）／Ｌ１の値が０．９〜０．９６までの範囲に含まれる。
【００１２】
第６の考案は、第２の考案に係る収納袋であって、前記Ｌ２／Ｌ１の値が０．６５〜１．０５までの範囲に含まれ、前記谷折り部の折り込み長さをＬ３としたときに、（Ｌ３×２）／Ｌ１の値が０．５〜０．９５までの範囲に含まれる。
【００１３】
第７の考案は、第１から第６までのいずれかの考案に係る収納袋と、前記収納袋に収納された容器と、を含む容器付き収納袋に関する。
【考案の効果】
【００１４】
本考案によれば、重みのある容器を収納しても袋本体と取っ手とが分離しにくく、複数の容器を収納しても持ち運びがしやすい収納袋及び容器付き収納袋を提供することができる。
【図面の簡単な説明】
【００１５】
【図１】第１実施形態の収納袋１の平面図である。
【図２】図１のｓ１−ｓ１線断面図である。
【図３】図１のｓ２−ｓ２線断面図である。
【図４】収納袋１の製造工程を説明する図である。
【図５】収納袋１の製造工程を説明する図である。
【図６】収納袋１に飲料缶５０を４本収納した容器付き収納袋２を示す斜視図である。
【図７】使用者が容器付き収納袋２を持ち上げた状態を示す斜視図である。
【図８】持ち上げられた容器付き収納袋２の内部で各飲料缶５０に作用する力の方向を示す概念図である。
【図９】第２実施形態の収納袋１Ａの平面図である。
【図１０】収納袋１Ａに飲料缶５０を６本収納した容器付き収納袋２Ａを示す斜視図である。
【図１１】使用者が容器付き収納袋２Ａを持ち上げた状態を示す斜視図である。
【図１２】持ち上げられた容器付き収納袋２Ａの内部で各飲料缶５０に作用する力の方向を示す概念図である。
【図１３】第３実施形態の収納袋１Ｂの平面図である。
【図１４】収納袋１Ｂに飲料ボトル６０を４本収納した容器付き収納袋２Ｂを示す斜視図である。
【図１５】使用者が容器付き収納袋２Ｂを持ち上げた状態を示す斜視図である。
【図１６】持ち上げられた容器付き収納袋２Ｂの内部で各飲料ボトル６０に作用する力の方向を示す概念図である。
【図１７】第４実施形態の収納袋１Ｃの平面図である。
【図１８】収納袋１Ｃに飲料ボトル６０を６本収納した容器付き収納袋２Ｃを示す斜視図である。
【図１９】使用者が容器付き収納袋２Ｃを持ち上げた状態を示す斜視図である。
【図２０】持ち上げられた容器付き収納袋２Ｃの内部で各飲料ボトル６０に作用する力の方向を示す概念図である。
【考案を実施するための形態】
【００１６】
以下、本考案に係る収納袋及び容器付き収納袋の実施形態について説明する。本明細書に添付した図面は、いずれも模式図であり、理解しやすさ等を考慮して、各部の形状、縮尺、縦横の寸法比等を、実物から変更又は誇張している。また、図面においては、部材の断面を示すハッチングを適宜に省略する。
【００１７】
図面には、説明と理解とを容易にするために、ＸＹＺの直交座標系を設けた。この座標系では、図１に示すように、収納袋１の取っ手２０が紙面の上側に位置する向きを基準として、上下及び左右を定めている。具体的には、紙面の左右方向を幅方向Ｘ、上下方向を高さ方向Ｙ（Ｙ１−Ｙ２）、Ｘ−Ｙ方向と直交する奥行き方向を厚さ方向Ｚと定めている。なお、本明細書においては、「〜方向」を、適宜に「〜側」ともいう。
【００１８】
（第１実施形態）
第１実施形態及び第２実施形態（後述）においては、本考案に係る収納袋を、飲料缶を持ち運ぶための収納袋に適用した例について説明する。飲料缶は、例えば、アルミニウム製の飲料用容器である。
図１は、第１実施形態の収納袋１の平面図である。図２は、図１のｓ１−ｓ１線断面図である。図３は、図１のｓ２−ｓ２線断面図である。図１〜図３は、いずれも収納袋１が折り畳まれた状態での形状を示しているが、図２及び図３では、折り畳まれた部分の断面形状を分かり易くするため、実際よりも厚み、形状を誇張している。
【００１９】
図１に示すように、収納袋１は、袋本体１０と、取っ手２０とを備えている。収納袋１は、後述するように、筒状のフィルム（原反）を製袋することにより、袋本体１０と取っ手２０とが一体に形成されている。そのため、収納袋１は、重みのある飲料缶５０を収納しても、袋本体１０と取っ手２０とが分離しにくい。収納袋１の材料としては、例えば、ポリエチレン、ポリプロピレン、ポリオレフィン等を用いることができる。フィルムの厚みは、例えば、４０〜８０μｍである。第１実施形態の収納袋１は、例えば、５００ｍｌの飲料缶を４本収納する場合に用いることができる。
【００２０】
袋本体１０は、飲料缶５０が収納される部分である。袋本体１０は、幅方向Ｘの両側面に谷折り部１１が形成されている。谷折り部１１は、図２に示すように、袋本体１０の幅方向Ｘの両側が内側にＭ字形に折り込まれた部分である。収納袋１を広げたときに、谷折り部１１が厚さ方向Ｚに拡張することにより、袋本体１０は箱枠形となる。第１実施形態の袋本体１０において、後述する袋本体１０の幅方向Ｘの長さＬ１、谷折り部１１の折り込み長さＬ３等は、袋本体１０を箱枠形とした場合に、収納袋１を奥行き方向Ｚから見て、飲料缶５０を幅方向Ｘに２本、奥行き方向Ｚに２本収納できる長さに設定される。
【００２１】
谷折り部１１の折り込み長さＬ３は、（Ｌ３×２）／Ｌ１の値が０．９〜０．９６までの範囲に含まれるように設定される。例えば、袋本体１０の幅方向Ｘの長さＬ１を１３０ｍｍとした場合、谷折り部１１の折り込み長さＬ３は、６０〜６２．４ｍｍとなる。長さＬ１及びＬ３は、収納する容器の大きさ、数等により適宜に変更される。図１に示すように、袋本体１０の底部１３は、溶着部１２により閉じられている。すなわち、収納袋１は、下に溶着部１２を備えている。溶着部１２は、例えば、熱溶着により形成することができる。取っ手２０の容器位置２６（後述）から袋本体１０の底部１３までの長さＬ６は、例えば、２２５〜２４５ｍｍである。長さＬ６は、収納する容器の大きさ等により適宜に変更される。例えば、第１実施形態の収納袋１に３５０ｍｌの飲料缶を４本収納する場合、Ｌ６は上記範囲よりも短くなる。
【００２２】
取っ手２０は、使用者が収納袋１を持ち運ぶ際に、指先を通して支える部分である。取っ手２０は、上部略中央（幅方向Ｘ）に設けられた略Ｕ字形の切り欠き部２１と、その両側に設けられた手提げ部２２とを備えている。取っ手２０の頂部２３から切り欠き部２１の底部２４までの長さ（以下、「取っ手２０の長さ」ともいう）Ｌ２は、Ｌ２／Ｌ１の値が１〜１．５４までの範囲に含まれるように設定される。例えば、取っ手２０の長さＬ２を１５０ｍｍ、袋本体１０の幅方向Ｘの長さＬ１を１３０ｍｍとした場合、Ｌ２／Ｌ１の値は、１．１５となる。
【００２３】
図３に示すように、手提げ部２２は、幅方向Ｘの両側において、厚さ方向Ｚに二つ重ねられている。すなわち、手提げ部２２は、取っ手２０の幅方向Ｘの両側において、厚さ方向Ｚに重なるように、それぞれ２つずつ設けられている。図１に示すように、取っ手２０の頂部２３は、溶着部２５により閉じられている。すなわち、収納袋１は、上に溶着部２５を備えている。溶着部２５は、例えば、熱溶着により形成することができる。取っ手２０の頂部２３を溶着部２５で閉じることにより、手提げ部２２は、収納袋１を広げたときに、上側Ｙ１の端部がつながった逆Ｖ字形となる。手提げ部２２の幅方向Ｘの長さＬ７は、例えば、３０〜３５ｍｍである。手提げ部２２の幅方向Ｘの長さＬ７は、手提げ部２２を適切に形成する観点から、谷折り部１１の折り込み長さＬ３よりも短くなるように設定される。
【００２４】
手提げ部２２において、容器位置２６は、図１の右側に示すように、収納袋１に飲料缶５０を収納したときに、飲料缶５０のテーパー部５１が、取っ手２０の切り欠き部２１の底部２４よりも上側Ｙ１に突出する位置を示している。テーパー部５１は、飲料缶５０の胴体部５２から頭部５３に向けて先細りとなる部分である。後述するように、使用者が容器付き収納袋２（図６参照）を持ち上げると、手提げ部２２は、容器位置２６を含む範囲において、飲料缶５０のテーパー部５１と当接する。
【００２５】
取っ手２０の頂部２３から容器位置２６までの長さＬ４は、袋本体１０の幅方向Ｘの長さＬ１を１３０ｍｍとした場合、例えば、１００〜１５０ｍｍである。また、取っ手２０の容器位置２６から切り欠き部２１の底部２４までの長さＬ５は、例えば、３０〜５０ｍｍである。そのため、Ｌ４とＬ５の合計となる取っ手２０の長さＬ２は、例えば、１３０〜１８５ｍｍとなる。収納袋１の高さ方向Ｙの全長Ｌ０は、取っ手２０の頂部２３から容器位置２６までの長さＬ４と、取っ手２０の容器位置２６から袋本体１０の底部１３までの長さＬ６との合計となる。第１実施形態の収納袋１において、全長Ｌ０は、例えば、３２５〜３９５ｍｍである。
【００２６】
第１実施形態の収納袋１において、収納袋１全長Ｌ０、袋本体１０の幅方向Ｘの長さＬ１、取っ手２０の長さＬ２、谷折り部１１の折り込み長さＬ３、取っ手２０の頂部２３から容器位置２６までの長さＬ４、取っ手２０の容器位置２６から切り欠き部２１の底部２４までの長さＬ５、取っ手２０の容器位置２６から袋本体１０の底部１３までの長さＬ６、手提げ部２２の幅方向Ｘの長さＬ７は、例えば、以下のようになる。なお、ここに示す数値は、収納袋１に５００ｍｌの飲料缶を４本収納する場合の一例である。第１実施形態の収納袋１において、各部の寸法は、下記の例に限定されない。カッコ内の数値は、具体例の一つを示している。
【００２７】
Ｌ０：３２５〜３９５ｍｍ（３５５ｍｍ）
Ｌ１：１２０〜１４０ｍｍ（１３０ｍｍ：Ｌ２／Ｌ１＝１．１５）
Ｌ２：１３０〜１８５ｍｍ（１５０ｍｍ：Ｌ２／Ｌ１＝１．１５）
Ｌ３：６０〜６２．４ｍｍ（６０ｍｍ）
Ｌ４：１００〜１５０ｍｍ（１２０ｍｍ）
Ｌ５：３０〜３５ｍｍ（３０ｍｍ）
Ｌ６：２２５〜２４５ｍｍ（２３５ｍｍ）
Ｌ７：３０〜３５ｍｍ（３５ｍｍ）
【００２８】
次に、収納袋１の製造方法について説明する。図４及び図５は、収納袋１の製造工程（Ａ）〜（Ｄ）を説明する図である。第１実施形態の収納袋１の製造方法は、他の実施形態の収納袋１Ａ〜１Ｃ（後述）にも共通する。なお、図４及び図５では、フィルム１００の搬送方向及び長手方向を「Ｙ方向」として説明する。Ｙ方向は、収納袋１の高さ方向Ｙ（Ｙ１−Ｙ２）に相当する。
【００２９】
図４（Ａ）に示すように、筒状に成形されたフィルム（原反）１００をＹ２側からＹ１方向に向けて連続的に搬送しながら、フィルム１００の幅方向Ｘの両側を、治具２００により内側に折り込み、谷折り部１１を形成する。谷折り部１１は、フィルム１００の長手方向Ｙに沿って形成される。谷折り部１１には、谷折り形状の底部に沿って折り曲げ線１１ａが形成される。
【００３０】
次に、図４（Ｂ）に示すように、フィルム１００の長手方向Ｙの前後を所定間隔で熱溶着して、溶着部Ｓを形成する。
続いて、図５（Ｃ）に示すように、溶着部Ｓを、それぞれ長手方向Ｙの中間位置で切り離し、枚葉のフィルム体１１０とする。これにより、フィルム体１１０のＹ１側の端に溶着部２５が形成され、Ｙ２側の端に溶着部１２が形成される。
【００３１】
次に、図５（Ｄ）に示すように、フィルム体１１０のＹ１側を略Ｕ字形に裁断して、切り欠き部２１を形成する。切り欠き部２１は、フィルム体１１０が谷折り部１１の折り曲げ線１１ａを含むように略Ｕ字形に切り取られることにより形成される。これにより、フィルム体１１０のＹ１側に取っ手２０が形成される。フィルム体１１０に切り欠き部２１を形成する際に、取っ手２０に形成された谷折り部１１の一部が切断されて、手提げ部２２が形成される（図３参照）。そのため、谷折り部１１は、袋本体１０にのみ残ることになる。手提げ部２２の幅方向Ｘの長さＬ７を、谷折り部１１の折り込み長さＬ３（図１参照）よりも短く設定することにより、手提げ部２２を適切に形成することができる。
以上の工程により、袋本体１０と取っ手２０とが形成された収納袋１を得ることができる。なお、フィルム体１１０の側面に、例えば、グラビア印刷等により文字、図形、模様等を印刷してもよい。
【００３２】
次に、第１実施形態に係る収納袋１の使用形態と、収納袋１に飲料缶５０（５００ｍｌ）を４本収納したときの作用効果について説明する。以下の説明においては、飲料缶５０を４本収納した収納袋１を「容器付き収納袋２」ともいう。
図６は、収納袋１に飲料缶５０を４本収納した容器付き収納袋２を示す斜視図である。図７は、使用者が容器付き収納袋２を持ち上げた状態を示す斜視図である。図８は、持ち上げられた容器付き収納袋２の内部で各飲料缶５０に作用する力の方向を示す概念図である。
【００３３】
図６に示すように、収納袋１を立体的に広げることにより、箱枠形に広がった袋本体１０の内部に、飲料缶５０を４本（Ｚ方向から見て２列×２行）収納することができる。また、収納袋１を立体的に広げると、手提げ部２２（取っ手２０）は、上側Ｙ１の端部がつながった逆Ｖ字形となり、内側に開口部２７が形成される。そのため、使用者は、図７に示すように、幅方向Ｘの両側において、手提げ部２２の内側に形成された開口部２７に指先を通すことにより、容器付き収納袋２を持ち上げることができる。
【００３４】
第１実施形態の容器付き収納袋２を使用者が持ち上げると、図７に示すように、高さ方向（鉛直方向）Ｙに平行な線Ｙ０と、持ち上げ時に対角線上に位置する手提げ部２２の略中心を通る線Ｃ０とが交差する角度θは、約３０〜５０度となる。対角線上に位置する手提げ部２２とは、使用者が容器付き収納袋２を持ち上げたときに、図８に示す対角線Ｄ１上又はＤ２上において、ほぼ一直線状となるように向かい合う一対の手提げ部２２（不図示）を指している。
【００３５】
使用者が第１実施形態の容器付き収納袋２を使用者が持ち上げると、高さ方向Ｙに平行な線Ｙ０と、持ち上げ時に対角線上に位置する手提げ部２２の略中心を通る線Ｃ０とが交差する角度θは、約３０〜５０度となる。そのため、第１実施形態の収納袋１においては、使用者が持ち上げた容器付き収納袋２の安定性を高めることができる。
【００３６】
また、使用者が容器付き収納袋２を持ち上げると、収納袋１に収納された各飲料缶５０は、上側Ｙ１のテーパー部５１の位置において、手提げ部２２に押圧される。そのため、図８に示すように、収納袋１の中心に向かう方向に矢印ａ１で示す力が加わる。これにより、４本の飲料缶５０のテーパー部５１は、それぞれ中心側に向けて互いに押し合うため、各飲料缶５０の上側Ｙ１の動きが抑制される。
【００３７】
一方、飲料缶５０のテーパー部５１に矢印ａ１の力が加わると、飲料缶５０の下側Ｙ２の部分には、上側Ｙ１の矢印ａ１とは反対方向の力が作用する。すなわち、飲料缶５０の下側Ｙ２の部分には、図８に示すように、収納袋１の中心から外側へ向かう方向に矢印ａ２で示す力が作用する。しかし、飲料缶５０の下側Ｙ２の部分に矢印ａ２の力が作用しても、飲料缶５０の下側Ｙ２の部分は、収納袋１の袋本体１０に突き当たり、それ以上に外側へ動くことが抑制される。このように、使用者が容器付き収納袋２を持ち上げると、各飲料缶５０の上側Ｙ１のテーパー部５１は、手提げ部２２により動きが抑制され、各飲料缶５０の下側Ｙ２の部分は、袋本体１０により動きが抑制される。上記の効果は、図１に示す収納袋１において、Ｌ２／Ｌ１の値を１〜１．５４までの範囲に含まれるように設定することにより得られる。
【００３８】
第１実施形態の容器付き収納袋２によれば、使用者が飲料缶５０（５００ｍｌ）を４本収納した状態で持ち上げたときに、袋本体１０の内部で各飲料缶５０の動きが抑制されるため、持ち運びがしやすい。また、収納袋１において、袋本体１０と取っ手２０とは一体に成形されているため、重みのある飲料缶５０を収納しても、袋本体１０と取っ手２０とが分離しにくい。したがって、第１実施形態の収納袋１及び容器付き収納袋２は、重みのある飲料缶５０を収納しても袋本体１０と取っ手２０とが分離しにくく、飲料缶５０を４本収納しても持ち運びがしやすいという効果を奏する。
【００３９】
（第２実施形態）
第２実施形態の収納袋１Ａは、飲料缶５０の大きさと収納する本数が異なり、Ｌ０〜Ｌ６までの寸法範囲等が第１実施形態の収納袋１と相違する。第２実施形態の収納袋１Ａにおいて、その他の構成は、第１実施形態の収納袋１と同じである。そのため、第２実施形態の説明及び図面において、第１実施形態と同等の部材等には、第１実施形態と同一の符号を付し、構成及び作用効果の重複する説明を適宜に省略する。
【００４０】
図９は、第２実施形態の収納袋１Ａの平面図である。第２実施形態の収納袋１Ａは、例えば、３５０ｍｌの飲料缶を６本収納する場合に用いることができる。
第２実施形態の収納袋１Ａにおいて、谷折り部１１の折り込み長さＬ３は、（Ｌ３×２）／Ｌ１の値が０．５〜０．９５までの範囲に含まれるように設定される。例えば、袋本体１０の幅方向Ｘの長さＬ１を１９０ｍｍとした場合、谷折り部１１の折り込み長さＬ３は、５５〜９０．２５ｍｍとなる。また、取っ手２０の頂部２３から切り欠き部２１の底部２４までの長さＬ２は、Ｌ２／Ｌ１の値が０．８９〜１．２６までの範囲に含まれるように設定される。例えば、取っ手２０の長さＬ２を２００ｍｍ、袋本体１０の幅方向Ｘの長さＬ１を１９０ｍｍとした場合、Ｌ２／Ｌ１の値は、１．０５となる。第２実施形態の袋本体１０において、袋本体１０の幅方向Ｘの長さＬ１、谷折り部１１の折り込み長さＬ３等は、袋本体１０を横長の箱枠形とした場合に、袋本体１０を奥行き方向Ｚから見て、飲料缶５０を幅方向Ｘに３本、奥行き方向２本収納できる長さに設定される。
【００４１】
第２実施形態の収納袋１Ａにおいて、収納袋１Ａの全長Ｌ０、袋本体１０の幅方向Ｘの長さＬ１、取っ手２０の長さＬ２、谷折り部１１の折り込み長さＬ３、取っ手２０の頂部２３から容器位置２６までの長さＬ４、取っ手２０の容器位置２６から切り欠き部２１の底部２４までの長さＬ５、取っ手２０の容器位置２６から袋本体１０の底部１３までの長さＬ６、手提げ部２２の幅方向Ｘの長さＬ７は、例えば、以下のようになる。手提げ部２２の幅方向Ｘの長さＬ７は、手提げ部２２を適切に形成する観点から、谷折り部１１の折り込み長さＬ３よりも短くなるように設定される。また、ここに示す数値は、収納袋１Ａに３５０ｍｌの飲料缶を６本収納する場合の一例である。第２実施形態の収納袋１Ａにおいて、各部の寸法は、下記の例に限定されない。カッコ内の数値は、具体例の一つを示している。
【００４２】
Ｌ０：３２０〜３９０ｍｍ（３６０ｍｍ）
Ｌ１：１８０〜２００ｍｍ（１９０ｍｍ：Ｌ２／Ｌ１＝１．０５）
Ｌ２：１７０〜２４０ｍｍ（２００ｍｍ：Ｌ２／Ｌ１＝１．０５）
Ｌ３：５５〜９０．２５ｍｍ（５５ｍｍ）
Ｌ４：１４０〜１９０ｍｍ（１７０ｍｍ）
Ｌ５：３０〜５０ｍｍ（３０ｍｍ）
Ｌ６：１８０〜２００ｍｍ（１９０ｍｍ）
Ｌ７：３０〜３５ｍｍ（３５ｍｍ）
【００４３】
次に、第２実施形態に係る収納袋１Ａの使用形態と、収納袋１Ａに飲料缶５０（３５０ｍｌ）を６本収納したときの作用効果について説明する。以下の説明においては、飲料缶５０を６本収納した収納袋１Ａを「容器付き収納袋２Ａ」ともいう。
図１０は、収納袋１Ａに飲料缶５０を６本収納した容器付き収納袋２Ａを示す斜視図である。図１１は、使用者が容器付き収納袋２Ａを持ち上げた状態を示す斜視図である。図１２は、持ち上げられた容器付き収納袋２Ａの内部で各飲料缶５０に作用する力の方向を示す概念図である。
【００４４】
図１０に示すように、収納袋１Ａを立体的に広げることにより、横長の箱枠形に広がった袋本体１０の内部に、飲料缶５０を６本（Ｚ方向から見て３列×２行）収納することができる。また、収納袋１を立体的に広げると、手提げ部２２（取っ手２０）は、上側Ｙ１の端部がつながった逆Ｖ字形となり、内側に開口部２７が形成される。そのため、使用者は、図１１に示すように、一対の手提げ部２２のそれぞれの開口部２７に指先を通すことにより、容器付き収納袋２Ａを持ち上げることができる。
【００４５】
使用者が第２実施形態の容器付き収納袋２Ａを持ち上げると、図１１に示すように、高さ方向（鉛直方向）Ｙに平行な線Ｙ０と、持ち上げ時に対角線上に位置する手提げ部２２の略中心を通る線Ｃ０とが交差する角度θは、約３０〜５０度となる。対角線上に位置する手提げ部２２とは、使用者が容器付き収納袋２Ａを持ち上げたときに、図１２に示す対角線Ｄ１上又はＤ２上において、ほぼ一直線状となるように向かい合う一対の手提げ部２２（不図示）を指している。
【００４６】
使用者が容器付き収納袋２Ａを持ち上げると、高さ方向Ｙに平行な線（Ｙ０）と、持ち上げ時に対角線上に位置する手提げ部２２の略中心を通る線Ｃ０とが交差する角度θは、約３０〜５０度となる。そのため、第２実施形態の収納袋１Ａにおいては、使用者が持ち上げた容器付き収納袋２Ａの安定性を高めることができる。
【００４７】
また、使用者が容器付き収納袋２Ａを持ち上げると、図１２に示すように、収納袋１Ａに収納された６本の飲料缶５０のうち、収納袋１Ａの角部に配置された飲料缶５０（以下、「飲料缶５０Ａ」ともいう）は、テーパー部５１の位置において、手提げ部２２（図１１参照）に押圧される。そのため、図１２に示すように、飲料缶５０Ａのテーパー部５１には、収納袋１Ａの中心に向かう方向に矢印ａ１で示す力が加わる。これにより、角部に配置される４本の飲料缶５０Ａのテーパー部５１は、それぞれ中心側に向けて互いに押し合うため、飲料缶５０Ａの上側Ｙ１の動きが抑制される。また、収納袋１Ａの中央部に配置された飲料缶５０（以下、「飲料缶５０Ｂ」ともいう）には、外側に向かう方向に力が生じる。しかし、中央部に配置された飲料缶５０Ｂは、袋本体１０の側面部分により外側へ動くことが抑制される。
【００４８】
一方、収納袋１Ａの角部に配置された飲料缶５０Ａのテーパー部５１に矢印ａ１で示す力が加わると、飲料缶５０Ａの下側Ｙ２には、図１２に示すように、収納袋１の中心から外側へ向かう方向に矢印ａ２で示す力が作用する。しかし、飲料缶５０Ａの下側Ｙ２に矢印ａ２で示す力が作用しても、飲料缶５０の下側Ｙ２は、収納袋１の袋本体１０に突き当たり、それ以上に外側へ動くことが抑制される。このように、使用者が容器付き収納袋２Ａを持ち上げると、角部に配置された飲料缶５０Ａの上側Ｙ１は、手提げ部２２により動きが抑制され、同じ飲料缶５０Ａの下側Ｙ２は、袋本体１０により動きが抑制される。また、中央部に配置された飲料缶５０Ｂは、袋本体１０の側面部分により動きが抑制される。上記の効果は、図９に示す収納袋１Ａにおいて、Ｌ２／Ｌ１の値を０．８９〜１．２６までの範囲に含まれるように設定することにより得られる。
【００４９】
第２実施形態の容器付き収納袋２Ａによれば、使用者が飲料缶５０（３５０ｍｌ）を６本収納した状態で持ち上げたときに、袋本体１０の内部で飲料缶５０の動きが抑制されるため、持ち運びがしやすい。また、収納袋１Ａにおいて、袋本体１０と取っ手２０とは一体に成形されているため、重みのある飲料缶５０を収納しても、袋本体１０と取っ手２０とが分離しにくい。したがって、第２実施形態の収納袋１Ａ及び容器付き収納袋２Ａは、重みのある飲料缶５０を収納しても袋本体１０と取っ手２０とが分離しにくく、飲料缶５０を６本収納しても持ち運びがしやすいという効果を奏する。
【００５０】
（第３実施形態）
第３実施形態及び後述する第４実施形態においては、本考案に係る収納袋を、飲料ボトルを持ち運ぶための収納袋に適用した例について説明する。飲料ボトルは、例えば、ＰＥＴ（ポリエチレンテレフタレート）により構成される飲料用の容器である。
第３実施形態の収納袋１Ｂの基本的な構成は、第１実施形態の収納袋１と同じである。そのため、第３実施形態の説明及び図面において、第１実施形態と同等の部材等には、第１実施形態と同一の符号を付し、構成及び作用効果の重複する説明を省略する。
【００５１】
図１３は、第３実施形態の収納袋１Ｂの平面図である。第３実施形態の収納袋１Ｂは、例えば、５００ｍｌの飲料ボトルを４本収納する場合に用いることができる。
第３実施形態の収納袋１Ｂにおいて、谷折り部１１の折り込み長さＬ３は、（Ｌ３×２）／Ｌ１の値が０．９〜０．９６までの範囲に含まれるように設定される。例えば、袋本体１０の幅方向Ｘの長さＬ１を１３０ｍｍとした場合、谷折り部１１の折り込み長さＬ３は、５０〜６２．４ｍｍとなる。また、取っ手２０の頂部２３から切り欠き部２１の底部２４までの長さＬ２は、Ｌ２／Ｌ１の値が０．７６〜１．３８までの範囲に含まれるように設定される。例えば、取っ手２０の長さＬ２を１２０ｍｍ、袋本体１０の幅方向Ｘの長さＬ１を１３０ｍｍとした場合、Ｌ２／Ｌ１の値は０．９２となる。第３実施形態の袋本体１０において、袋本体１０の幅方向Ｘの長さＬ１、谷折り部１１の折り込み長さＬ３等は、袋本体１０を箱枠形とした場合に、袋本体１０を奥行き方向Ｚから見て、飲料ボトル６０を幅方向Ｘに２本、奥行き方向Ｚに２本収納できる長さに設定される。
【００５２】
第３実施形態の収納袋１Ｂにおいて、手提げ部２２の容器位置２６は、図１３の右側の図に示すように、収納袋１Ｂに飲料ボトル６０を収納したときに、飲料ボトル６０のネック部６１が、取っ手２０の切り欠き部２１の底部２４よりも上側Ｙ１に突出する位置を示している。後述するように、使用者が容器付き収納袋２Ｂを持ち上げると、手提げ部２２は、容器位置２６を含む範囲において、飲料ボトル６０のネック部６１及びテーパー部６３と当接する。ネック部６１は、ボトルキャップ６２が装着される部分である。以下の説明においては、ボトルキャップ６２を含めてネック部６１という。テーパー部６３は、飲料ボトル６０の胴体部６４からネック部６１に向けて先細りとなる部分である。
【００５３】
第３実施形態において、収納袋１Ｂの全長Ｌ０、袋本体１０の幅方向Ｘの長さＬ１、取っ手２０の長さＬ２、谷折り部１１の折り込み長さＬ３、取っ手２０の頂部２３から容器位置２６までの長さＬ４、取っ手２０の容器位置２６から切り欠き部２１の底部２４までの長さＬ５、取っ手２０の容器位置２６から袋本体１０の底部１３までの長さＬ６、手提げ部２２の幅方向Ｘの長さＬ７は、例えば、以下のようになる。手提げ部２２の幅方向Ｘの長さＬ７は、手提げ部２２を適切に形成する観点から、谷折り部１１の折り込み長さＬ３よりも短くなるように設定される。また、ここに示す数値は、収納袋１Ｂに５００ｍｌの飲料ボトルを４本収納する場合の一例である。第３実施形態の収納袋１Ｂにおいて、各部の寸法は、下記の例に限定されない。カッコ内の数値は、具体例の一つを示している。
【００５４】
Ｌ０：３５０〜４３０ｍｍ（４００ｍｍ）
Ｌ１：１２０〜１４０ｍｍ（１３０ｍｍ：Ｌ２／Ｌ１＝１．０５）
Ｌ２：１００〜１８０ｍｍ（１２０ｍｍ：Ｌ２／Ｌ１＝１．０５）
Ｌ３：５５〜６２．４ｍｍ
Ｌ４：８０〜１４０ｍｍ
Ｌ５：２０〜４０ｍｍ
Ｌ６：２７０〜２９０ｍｍ（２８０ｍｍ）
Ｌ７：３０〜３５ｍｍ（３５ｍｍ）
【００５５】
次に、第３実施形態に係る収納袋１Ｂの使用形態と、収納袋１Ｂに飲料ボトル６０（５００ｍｌ）を４本収納したときの作用効果について説明する。以下の説明においては、飲料ボトル６０を４本収納した収納袋１Ｂを「容器付き収納袋２Ｂ」ともいう。
図１４は、収納袋１Ｂに飲料ボトル６０を４本収納した容器付き収納袋２Ｂを示す斜視図である。図１５は、使用者が容器付き収納袋２Ｂを持ち上げた状態を示す斜視図である。図１６は、持ち上げられた容器付き収納袋２Ｂの内部で各飲料ボトル６０に作用する力の方向を示す概念図である。
【００５６】
図１４に示すように、収納袋１Ｂを立体的に広げることにより、箱枠形に広がった袋本体１０の内部に飲料ボトル６０を４本（Ｚ方向から見て２列×２行）収納することができる。また、収納袋１Ｂを立体的に広げると、手提げ部２２（取っ手２０）は、上側Ｙ１の端部がつながった逆Ｖ字形となり、内側に開口部２７が形成される。そのため、使用者は、図１５に示すように、一対の手提げ部２２のそれぞれの開口部２７に指先を通すことにより、容器付き収納袋２Ｂを持ち上げることができる。
【００５７】
使用者が第３実施形態の容器付き収納袋２Ｂを持ち上げると、図１５に示すように、高さ方向（鉛直方向）Ｙに平行な線（Ｙ０）と、持ち上げ時に対角線上に位置する手提げ部２２の略中心を通る線Ｃ０とが交差する角度θは、約３０〜５０度となる。対角線上に位置する手提げ部２２とは、使用者が容器付き収納袋２Ｂを持ち上げたときに、図１６に示す対角線Ｄ１上又はＤ２上において、ほぼ一直線状となるように向かい合う一対の手提げ部２２（不図示）を指している。
【００５８】
このように、使用者が容器付き収納袋２Ｂを持ち上げると、高さ方向Ｙに平行な線（Ｙ０）と、持ち上げ時に対角線上に位置する手提げ部２２の略中心を通る線Ｃ０とが交差する角度θは、約３０〜５０度となる。そのため、第３実施形態の収納袋１Ｂにおいては、使用者が持ち上げた容器付き収納袋２Ｂの安定性を高めることができる。
【００５９】
また、使用者が容器付き収納袋２Ｂを持ち上げると、収納袋１Ｂに収納された各飲料ボトル６０は、上側Ｙ１のネック部６１及びテーパー部６３の位置において、手提げ部２２（図１５参照）に押圧される。そのため、図１６に示すように、ネック部６１及びテーパー部６３には、収納袋１Ｂの中心に向かう方向に矢印ａ１で示す力がそれぞれ加わる。これにより、４本の飲料ボトル６０のネック部６１及びテーパー部６３は、それぞれ中心側に向けて互いに押し合うため、各飲料ボトル６０の上側Ｙ１の動きが抑制される。上記の効果は、図１３に示す収納袋１Ｂにおいて、Ｌ２／Ｌ１の値を０．７６〜１．３８までの範囲に含まれるように設定することにより得られる。
【００６０】
一方、飲料ボトル６０のネック部６１及びテーパー部６３に矢印ａ１で示す力が加わると、飲料ボトル６０の下側Ｙ２の部分には、上側Ｙ１の矢印ａ１とは反対方向の力が作用する。すなわち、飲料ボトル６０の下側Ｙ２の部分には、図１６に示すように、収納袋１Ｂの中心から外側へ向かう方向に矢印ａ２で示す力が作用する。しかし、飲料ボトル６０の下側Ｙ２の部分に矢印ａ２の力が作用しても、飲料ボトル６０の下側Ｙ２の部分は、収納袋１Ｂの袋本体１０に突き当たり、それ以上に外側へ動くことが抑制される。このように、使用者が容器付き収納袋２Ｂを持ち上げると、各飲料ボトル６０の上側のネック部６１及びテーパー部６３は、手提げ部２２により動きが抑制され、各飲料ボトル６０の下側Ｙ２の部分は、袋本体１０により動きが抑制される。
【００６１】
第３実施形態の容器付き収納袋２Ｂによれば、使用者が飲料ボトル６０（５００ｍｌ）を４本収納した状態で持ち上げたときに、袋本体１０の内部で各飲料ボトル６０の動きが抑制されるため、持ち運びがしやすい。また、収納袋１Ｂにおいて、袋本体１０と取っ手２０とは一体に成形されているため、重みのある飲料ボトル６０を収納しても、袋本体１０と取っ手２０とが分離しにくい。したがって、第３実施形態の収納袋１Ｂ及び容器付き収納袋２Ｂは、重みのある飲料ボトル６０を収納しても袋本体１０と取っ手２０とが分離しにくく、飲料ボトル６０を４本収納しても持ち運びがしやすいという効果を奏する。
【００６２】
（第４実施形態）
第４実施形態の収納袋１Ｃは、飲料ボトル６０を収納する本数が異なり、Ｌ０〜Ｌ６までの寸法範囲等が第３実施形態の収納袋１Ｂと相違する。第４実施形態の収納袋１Ｃにおいて、その他の構成は、第３実施形態の収納袋１Ｂと同じである。そのため、第４実施形態の説明及び図面において、第３実施形態と同等の部材等には、第３実施形態と同一の符号を付し、重複する説明を適宜に省略する。
【００６３】
図１７は、第４実施形態の収納袋１Ｃの平面図である。第４実施形態の収納袋１Ｃは、例えば、５００ｍｌの飲料ボトルを６本収納する場合に用いることができる。
第４実施形態の収納袋１Ｃにおいて、谷折り部１１の折り込み長さＬ３は、（Ｌ３×２）／Ｌ１の値が０．５〜０．９５までの範囲に含まれるように設定される。例えば、袋本体１０の幅方向Ｘの長さＬ１を２００ｍｍとした場合、谷折り部１１の折り込み長さＬ３は、５０〜９５ｍｍとなる。また、取っ手２０の頂部２３から切り欠き部２１の底部２４までの長さＬ２は、Ｌ２／Ｌ１の値が０．６５〜１．０５までの範囲に含まれるように設定される。例えば、取っ手２０の長さＬ２を１３０ｍｍ、袋本体１０の幅方向Ｘの長さＬ１を２００ｍｍとした場合、Ｌ２／Ｌ１の値は、０．６５となる。第４実施形態の袋本体１０において、袋本体１０の幅方向Ｘの長さＬ１、谷折り部１１の折り込み長さＬ３等は、袋本体１０を横長の箱枠形とした場合に、袋本体１０を奥行き方向Ｚから見て、飲料ボトル６０を幅方向Ｘに３本、奥行き方向Ｚに２本収納できる長さに設定される。
【００６４】
第４実施形態の収納袋１Ｃにおいて、収納袋１Ｃの全長Ｌ０、袋本体１０の幅方向Ｘの長さＬ１、取っ手２０の長さＬ２、谷折り部１１の折り込み長さＬ３、取っ手２０の頂部２３から容器位置２６までの長さＬ４、取っ手２０の容器位置２６から切り欠き部２１の底部２４までの長さＬ５、取っ手２０の容器位置２６から袋本体１０の底部１３までの長さＬ６、手提げ部２２の幅方向Ｘの長さＬ７は、例えば、以下のようになる。なお、手提げ部２２の幅方向Ｘの長さＬ７は、手提げ部２２を適切に形成する観点から、谷折り部１１の折り込み長さＬ３よりも短くなるように設定される。また、ここに示す数値は、収納袋１Ｃに５００ｍｌの飲料ボトルを６本収納する場合の一例である。第４実施形態の収納袋１Ｃにおいて、各部の寸法は、下記の例に限定されない。カッコ内の数値は、具体例の一つを示している。
【００６５】
Ｌ０：４９０〜５７０ｍｍ（５００ｍｍ）
Ｌ１：１９０〜２１０ｍｍ（２００ｍｍ：Ｌ２／Ｌ１＝０．６５）
Ｌ２：１３０〜２１０ｍｍ（１３０：Ｌ２／Ｌ１＝０．６５）
Ｌ３：５０〜９５ｍｍ（５５ｍｍ）
Ｌ４：１１０〜１７０ｍｍ（１７０ｍｍ）
Ｌ５：２０〜４０ｍｍ（２０ｍｍ）
Ｌ６：３８０〜４００ｍｍ（３９０ｍｍ）
Ｌ７：３０〜３５ｍｍ（３５ｍｍ）
【００６６】
次に、第４実施形態に係る収納袋１Ｃの使用形態と、収納袋１Ｃに飲料ボトル６０を６本収納したときの作用効果について説明する。以下の説明においては、飲料ボトル６０を６本収納した収納袋１Ｃを「容器付き収納袋２Ｃ」ともいう。
図１８は、収納袋１Ｃに飲料ボトル６０を６本収納した容器付き収納袋２Ｃを示す斜視図である。図１９は、使用者が容器付き収納袋２Ｃを持ち上げた状態を示す斜視図である。図２０は、持ち上げられた容器付き収納袋２Ｃの内部で各飲料ボトル６０に作用する力の方向を示す概念図である。
【００６７】
図１８に示すように、収納袋１Ｃを立体的に広げることにより、横長の箱枠形に広がった袋本体１０の内部に、飲料ボトル６０を６本（Ｚ方向から見て３列×２行）収納することができる。また、収納袋１Ｃを立体的に広げると、手提げ部２２（取っ手２０）は、上側Ｙ１の端部がつながった逆Ｖ字形となり、内側に開口部２７が形成される。そのため、使用者は、図１９に示すように、一対の手提げ部２２のそれぞれの開口部２７に指先を通すことにより、容器付き収納袋２Ｃを持ち上げることができる。
【００６８】
使用者が第４実施形態の容器付き収納袋２Ｃを使用者が持ち上げると、図１９に示すように、高さ方向（鉛直方向）Ｙに平行な線（Ｙ０）と、持ち上げ時に対角線上に位置する手提げ部２２の略中心を通る線Ｃ０とが交差する角度θは、約３０〜５０度となる。対角線上に位置する手提げ部２２とは、使用者が容器付き収納袋２Ｃを持ち上げたときに、図２０に示す対角線Ｄ１上又はＤ２上において、ほぼ一直線状となるように向かい合う一対の手提げ部２２（不図示）を指している。
【００６９】
このように、使用者が容器付き収納袋２Ｃを持ち上げると、高さ方向Ｙに平行な線（Ｙ０）と、持ち上げ時に対角線上に位置する手提げ部２２の略中心を通る線Ｃ０とが交差する角度θは、約３０〜５０度となる。そのため、第４実施形態の収納袋１Ｃにおいては、使用者が持ち上げた容器付き収納袋２Ｃの安定性を高めることができる。
【００７０】
また、使用者が容器付き収納袋２Ｃを持ち上げると、図２０に示すように、収納袋１Ｃに収納された６本の飲料ボトル６０のうち、収納袋１Ｃの角部に配置された飲料ボトル６０（以下、「飲料ボトル６０Ａ」ともいう）は、上側Ｙ１のネック部６１及びテーパー部６３の位置において、手提げ部２２に押圧される。そのため、飲料ボトル６０のネック部６１及びテーパー部６３には、収納袋１Ｂの中心に向かう方向にそれぞれ矢印ａ１で示す力が加わる。角部に配置された４本の飲料ボトル６０Ａのネック部６１及びテーパー部６３が中心側に向けて互いに押圧されると、中央部に配置される飲料ボトル６０（以下、「飲料ボトル６０Ｂ」ともいう）には、外側に向かう方向に力が生じる。しかし、中央部に配置される飲料ボトル６０Ｂは、袋本体１０の側面部分により外側へ動くことが抑制される。
【００７１】
一方、収納袋１Ｃの角部に配置された飲料ボトル６０Ａのネック部６１及びテーパー部６３に矢印ａ１で示す力が加わると、飲料ボトル６０Ａの下側Ｙ２の部分には、上側Ｙ１の矢印ａ１とは反対方向の力が作用する。すなわち、飲料ボトル６０Ａの下側Ｙ２の部分には、図２０に示すように、収納袋１Ｃの中心から外側へ向かう方向に矢印ａ２で示す力が作用する。しかし、飲料ボトル６０Ａの下側Ｙ２の部分に矢印ａ２の力が作用しても、飲料ボトル６０の下側Ｙ２の部分は、収納袋１Ｃの袋本体１０に突き当たり、それ以上に外側へ動くことが抑制される。このように、使用者が容器付き収納袋２Ｃを持ち上げると、角部に配置された飲料ボトル６０Ａの上側Ｙ１は、手提げ部２２により動きが抑制され、同じ飲料ボトル６０Ａの下側Ｙ２の部分は、袋本体１０により動きが抑制される。また、中央部に配置された飲料ボトル６０Ｂは、袋本体１０の側面部分により動きが抑制される。上記の効果は、図１７に示す収納袋１Ｃにおいて、Ｌ２／Ｌ１の値を０．６５〜１．０５までの範囲に含まれるように設定することにより得られる。
【００７２】
第４実施形態の容器付き収納袋２Ｃによれば、使用者が飲料ボトル６０を６本収納した状態で持ち上げると、袋本体１０の内部で飲料ボトル６０の動きが抑制されるため、持ち運びがしやすい。また、収納袋１Ｃにおいて、袋本体１０と取っ手２０とは一体に成形されているため、重みのある飲料ボトル６０を収納しても、袋本体１０と取っ手２０とが分離しにくい。したがって、第４実施形態の収納袋１Ｃ及び容器付き収納袋２Ｃは、重みのある飲料ボトル６０を収納しても袋本体１０と取っ手２０とが分離しにくく、飲料ボトル６０を６本収納しても持ち運びがしやすいという効果を奏する。
【００７３】
（変形形態）
上記実施形態では、収納袋に飲料缶や飲料ボトルを収納する例について説明したが、これに限定されない。収納袋に収納する容器は、例えば、食品、医薬品、化粧品、洗剤、塗料、燃料等が充填された容器であってもよい。また、飲料缶や飲料ボトルの形状、大きさは、実施形態の例に限らず、適宜に選択可能である。
【符号の説明】
【００７４】
１、１Ａ〜１Ｃ  収納袋
２、２Ａ〜２Ｃ  容器付け収納袋
１０  袋本体
１１  谷折り部
１２、２５  溶着部
１３  底部
２０  取っ手
２１  切り欠き部
２２  手提げ部
２３  頂部
２４  底部
２６  容器位置
５０、５０Ａ、５０Ｂ  飲料缶
６０、６０Ａ、６０Ｂ  飲料ボトル
【図１】
0003234158.tif 000003
【図２】
0003234158.tif 000004
【図３】
0003234158.tif 000005
【図４】
0003234158.tif 000006
【図５】
0003234158.tif 000007
【図６】
0003234158.tif 000008
【図７】
0003234158.tif 000009
【図８】
0003234158.tif 000010
【図９】
0003234158.tif 000011
【図１０】
0003234158.tif 000012
【図１１】
0003234158.tif 000013
【図１２】
0003234158.tif 000014
【図１３】
0003234158.tif 000015
【図１４】
0003234158.tif 000016
【図１５】
0003234158.tif 000017
【図１６】
0003234158.tif 000018
【図１７】
0003234158.tif 000019
【図１８】
0003234158.tif 000020
【図１９】
0003234158.tif 000021
【図２０】
0003234158.tif 000022